(57)【要約】【課題】屋根葺き等の作業に際し、針孔や釘孔も生じず、防水効果を維持し、ゴミとして発生する剥離紙を無くし、施工の効率を低下させずに、作業員の転倒・滑落事故を防止して安全性が確保されるようにした屋根下葺シートを提供する。【解決手段】流通保存形態のロール巻きを解いた帯状の遮水シート（Ｓ）が屋根の野地板（５０）に展張敷設される屋根下葺シート（１００）であって、遮水シート（Ｓ）の貼着面（１０）には、長手方向に粘着剤（３０）を塗布した複数の帯状粘着領域（１１〜１６）が形成され、遮水シート（Ｓ）の貼着背面（２０）であるとともに帯状粘着領域（１１〜１６）の裏側に位置する領域には、粘着剤（３０）から粘着作用を受け難い剥離層（２１〜２６）が形成された。【選択図】図２
2017115351.tif 000002
【特許請求の範囲】
【請求項１】
流通保存形態のロール巻きを解いた帯状の遮水シートが屋根の野地板に展張敷設される屋根下葺シートであって、
前記遮水シートの貼着面には、長手方向に粘着剤を塗布した複数の帯状粘着領域が形成され、
前記遮水シートの貼着背面であるとともに前記帯状粘着領域の裏側に位置する領域には、前記粘着剤から粘着作用を受け難い剥離層が形成されたことを特徴とする屋根下葺シート。
【請求項２】
複数の前記帯状粘着領域は、それぞれが前記遮水シートの全幅Ｗよりもはるかに狭い第１の幅Ｂに形成され、これら第１の幅Ｂの全数分を合計しても前記全幅Ｗの１／１０以下であり、
前記剥離層は、前記第１の幅Ｂよりも広い第２の幅Ｃに形成され、該第２の幅Ｃは前記第１の幅Ｂの１．５〜１０倍の範囲であることを特徴とする請求項１に記載の屋根下葺シート。
【請求項３】
前記遮水シートの幅方向の一端から他端まで順番に規定された距離Ｙ１，Ｙ２，Ｙ３，・・・，Ｙ７，・・・，Ｙｎを設けて並ぶ複数の基準点と、
前記幅方向に隣接して展張敷設されるオーバーラップ幅Ｅを明示した重ね代と、を備え、
前記帯状粘着領域は、それぞれが前記基準点を含むとともに、前記長手方向の全長にわたって平行に延在し、
下層側と上層側で前記重ね代を合わせてオーバーラップした相手に対し、前記下層側の前記剥離層に、前記上層側の前記帯状粘着領域が重ならないように、
前記第１の幅Ｂと、前記第２の幅Ｃと、前記オーバーラップ幅Ｅと、前記規定の距離Ｙ１，Ｙ２，Ｙ３，・・・，Ｙ７，・・・，Ｙｎと、を設定したことを特徴とする請求項２に記載の屋根下葺シート。
【請求項４】
前記規定の距離はＹ１〜Ｙ７であり、
前記全幅Ｗを７００〜１３００ｍｍ、
前記第１の幅Ｂを３〜７ｍｍ、
前記第２の幅Ｃを７〜１３ｍｍ、
前記オーバーラップ幅Ｅを７３〜１３７ｍｍ、
前記規定の距離Ｙ１〜Ｙ７について、Ｙ１，Ｙ７を７〜４８ｍｍ、Ｙ２，Ｙ４，Ｙ６を７３〜１８６ｍｍ、Ｙ３，Ｙ５を２３２〜３６０ｍｍ、
に設定したことを特徴とする請求項３に記載の屋根下葺シート。
【発明の詳細な説明】
【技術分野】
【０００１】
本発明は木造家屋等の建築物の屋根構造において、漏水防止等を図るための、屋根の野地板上に貼り付けられる屋根下葺シートに関する。
【背景技術】
【０００２】
木造家屋等の屋根構造は、一般に、棟木と敷桁間に多数本の垂木が互いに所定の間隔を以って架け渡し状態で支持されるとともに、これら垂木上に構造用合板等を張って野地板を構成する。屋根構造は、野地板の表面に屋根下葺シートを全面に亘って張り付ける（以下、「展張敷設」という）とともに、この屋根下葺シート上からリング釘を打ち付けて桟木を所定の間隔を以って固定する。屋根構造は、瓦の引っ掛け爪をそれぞれ桟木に掛け合わせるようにして下方から順に葺くことにより構成する。
【０００３】
屋根構造においては、屋根下葺シートとして、原紙にストレートアスファルトを浸透させて両面をコーティングしたアスファルト系シートや、合成樹脂系シート或いは樹皮等の天然素材系シートが従来一般に用いられている。屋根下葺シートは、もっぱら瓦の隙間や亀裂等から浸入する雨水等の屋内への漏れを防止する二次防水材として上述したように野地板上に張り付けられることから、確実な防水性が要求される。
【０００４】
ところで、木造家屋等に用いられる屋根下葺シートの主目的は、防水性を有して外部から浸入する雨水等を遮断することにある。しかしながら、従来の貼り付け方法として、タッカーで打つ針（ステープル）や釘により野地板に貼り付ける方法が一般的であった。その場合、これらの針（ステープル）や釘は、遮水のためのシートに針孔や釘孔を開けてしまい漏水の原因になるので、その点を改善することにより防水効果を高めたいという課題があった。
【０００５】
また、前記課題を解決するために、例えば特許文献１に示すように、針（ステープル）や釘を不要にした屋根下葺材も知られている。具体的には、遮水シートに剥離紙を貼り、該剥離紙側を内側にしてロール状に巻き、その巻終わり部の剥離紙を、これが対面するロール側に接着したことを特徴とし、ロールの巻終わり部の剥離紙の一部を剥がして遮水シートを露出させ、その先端を野地板に貼り、ロールを巻き戻しつつ順次貼って行くと、一周遅れで剥離紙が背面側に重なった状態で自然に剥がれていくように構成した、というものである。
【先行技術文献】
【特許文献】
【０００６】
【特許文献１】特開２００１−２９５４２９号公報
【発明の概要】
【発明が解決しようとする課題】
【０００７】
しかしながら、特許文献１における屋根下葺材は、ロールを巻き戻しつつ順次貼って行くと、一周遅れで剥離紙が背面側に重なった状態で自然に剥がれていくが、このとき、ロールを巻き戻しつつ順次貼った分の遮水シートの長さや面積に対応する剥離紙が必ず発生する。このように剥がした剥離紙は、ロールの引張り側において、展張貼着の作業進捗に応じて発生し、作業員の足元に散乱するので大変邪魔になる。その上、滑りやすい剥離紙は、屋根の上という高所で作業する者の安全確保の点から、速やかに作業領域から排除することが必要である。
【０００８】
本発明は、このような問題に鑑みてなされたもので、その目的とするところは、粘着剤で野地板に貼り付けることにより、タッカーで打つ針（ステープル）や釘を不要にするとともに、針孔や釘孔も生じさせず、防水効果を高くするようにした屋根下葺シートを提供することにある。また、屋根葺き等の作業に際し、ゴミとして発生する剥離紙を無くすことにより、施工の効率を低下させずに、作業員の転倒・滑落事故を防止して安全性が確保されるようにした屋根下葺シートを提供することにある。
【課題を解決するための手段】
【０００９】
本発明は、このような目的を達成するためになされたもので、請求項１に係る屋根下葺シート（１００）は、流通保存形態のロール巻きを解いた帯状の遮水シート（Ｓ）が屋根の野地板（５０）に展張敷設される屋根下葺シート（１００）であって、前記遮水シート（Ｓ）の貼着面（１０）には、長手方向（Ｘ）に粘着剤（３０）を塗布した複数の帯状粘着領域（１１〜１６）が形成され、前記遮水シート（Ｓ）の貼着背面（２０）であるとともに前記帯状粘着領域（１１〜１６）の裏側に位置する領域には、前記粘着剤（３０）から粘着作用を受け難い剥離層（２１〜２６）が形成されたことを特徴とする。
【００１０】
また、請求項２に係る屋根下葺シート（１００）は、請求項１に記載の屋根下葺シート（１００）において、複数の前記帯状粘着領域（１１〜１６）は、それぞれが前記遮水シート（Ｓ）の全幅Ｗよりもはるかに狭い第１の幅Ｂに形成され、これら第１の幅Ｂの全数分を合計しても前記全幅Ｗの１／１０以下であり、前記剥離層（２１〜２６）は、前記第１の幅Ｂよりも広い第２の幅Ｃに形成され、該第２の幅Ｃは前記第１の幅Ｂの１．５〜１０倍の範囲であることを特徴とする。
【００１１】
また、請求項３に係る屋根下葺シート（１００）は、請求項２に記載の屋根下葺シート（１００）において、前記遮水シート（Ｓ）の幅方向（Ｙ）の一端から他端まで順番に規定された距離Ｙ１，Ｙ２，Ｙ３，・・・，Ｙ７，・・・，Ｙｎを設けて並ぶ複数の基準点（１〜６）と、前記幅方向（Ｙ）に隣接して展張敷設されるオーバーラップ幅Ｅを明示した重ね代（４１，４２）と、を備え、前記帯状粘着領域（１１〜１６）は、それぞれが前記基準点（１〜６）を含むとともに、前記長手方向（Ｘ）の全長（Ｌ）にわたって平行に延在し、下層側（６０）と上層側（７０）で前記重ね代（４１，４２）を合わせてオーバーラップした相手に対し、前記下層側（６０）の前記剥離層（２１〜２６）に、前記上層側（７０）の前記帯状粘着領域（１１〜１６）が重ならないように、前記第１の幅Ｂと、前記第２の幅Ｃと、前記オーバーラップ幅Ｅと、前記規定の距離Ｙ１，Ｙ２，Ｙ３，・・・，Ｙ７，・・・，Ｙｎと、を設定したことを特徴とする。
【００１２】
また、請求項４に係る屋根下葺シート（１００）は、請求項３に記載の屋根下葺シート（１００）において、前記規定の距離はＹ１〜Ｙ７であり、前記全幅Ｗを７００〜１３００ｍｍ、前記第１の幅Ｂを３〜７ｍｍ、前記第２の幅Ｃを７〜１３ｍｍ、前記オーバーラップ幅Ｅを７３〜１３７ｍｍ、前記規定の距離Ｙ１〜Ｙ７について、Ｙ１，Ｙ７を７〜４８ｍｍ、Ｙ２，Ｙ４，Ｙ６を７３〜１８６ｍｍ、Ｙ３，Ｙ５を２３２〜３６０ｍｍ、に設定したことを特徴とする。
【発明の効果】
【００１３】
本発明によれば、屋根葺き等の作業に際し、粘着剤で野地板に貼り付けることにより、タッカーで打つ針（ステープル）や釘が不要になるとともに、針孔や釘孔も生じさせず、防水効果を高くするようにした屋根下葺シートを提供することが可能である。また、ゴミとして発生する剥離紙を無くすことにより、施工の効率を低下させずに、作業員の転倒・滑落事故を防止して安全性が確保されるようにした屋根下葺シートを提供することも可能である。
【図面の簡単な説明】
【００１４】
【図１】本発明に係る屋根下葺シート（以下、「本シート」ともいう）を展張敷設する手順について説明する側面（ロール端面）図である。
【図２】本シートをロール巻きした流通保存形態の側面（ロール端面）図であり、図２（Ａ）は全体の側面図、図２（Ｂ）は巻き解き端緒部（以下、単に「端緒部」ともいう）を拡大した側面図である。
【図３】図１および図２に示した本シートを屋根の野地板に展張敷設した様子を説明するための平面図と、屋根の妻又は垂木に平行な平面による断面図である。
【図４】展張敷設された本シートのオーバーラップ部を説明するための、屋根の妻又は垂木に平行な平面による断面図である。
【発明を実施するための形態】
【００１５】
以下、本発明の実施の形態について図面を参照しながら詳細に説明する。なお、本シートの構成と、それを野地板上に展張敷設する手順を適宜あわせて説明する。
図１は、本シートを展張敷設する手順について説明する側面（ロール端面）図である。なお、図１は、後述する基準点１〜６のいずれか１点を長手方向Ｘに通過する線を含んでロール巻きを輪切りに切断した断面図と見ても良い。
【００１６】
図１に示す本シート１００は、貼着面１０を外側にロール巻きされており、屋根の野地板５０の表面において、ロールを進行方向Ｇに転がすように回転（矢印Ｆ）させて解きながら展張敷設される。本シート１００は、粘着剤で野地板に貼り付けることにより、タッカーで打つ針（ステープル）や釘を不要にするとともに、針孔や釘孔も生じさせず、防水効果を高くすることが可能である。
【００１７】
図２（Ａ）は、本シートを流通や保存に適する形態にロール巻きした流通保存形態の全体側面（ロール端面）図である。なお、図２も、後述する基準点１〜６のいずれか１点を長手方向Ｘに通過する線を含んでロール巻きを輪切りに切断した断面図と見ても良い。本シート１００は、例えば、全幅Ｗ＝１ｍ、全長Ｌ＝１０ｍを定尺とする不織布等の遮水シート（以下、「基材」ともいう）Ｓにより主要構成されている。
【００１８】
なお、本シート１００は、その流通保存形態において、粘着剤３０の塗布された貼着面１０が最外周に露出しているため、その帯状粘着領域１１〜１６をゴミ付着等による粘着力低下の害から保護するために、専用の包装袋（不図示）に包装されている。包装袋は、流通保存形態の本シート１００、すなわちロール巻き状態の全体を収容可能な大きさである。この包装袋の内面には、後述する粘着剤３０から粘着作用を受け難い剥離層が形成されている。あるいは、包装袋の構成材料が、粘着作用を受け難い材料により形成されていても良い。
【００１９】
本シート１００は、工場で生産され、ロール巻きして袋詰めした流通保存形態で流通保存される。また、本シート１００は、流通途中の在庫保存等を経て消費地である木造住宅建築現場、又は屋根瓦の葺き替え施工現場まで運ばれる。その後、屋根の野地板５０の上で、流通保存形態の包装袋からロール巻き状態で取り出され、そのロール巻きを解かれた帯状の遮水シートＳが、展張敷設される。展張敷設の詳細な手順については後述する。
【００２０】
図２（Ｂ）は、図２（Ａ）に示した本シート１００の端緒部９を拡大した側面図である。図２（Ｂ）に示すように、本シート１００を主要構成する遮水シートＳは、平面視した表側（表側）の貼着背面２０と、その裏側（下側）の貼着面１０との区別がある。
【００２１】
遮水シートＳの貼着背面２０であって、しかも帯状粘着領域１１〜１６の裏側に位置する領域には、粘着剤（以下、「糊」ともいう）３０から粘着作用を受け難い剥離層２１〜２６が形成されている。この剥離層２１〜２６は、本シート１００をロール巻きした状態で、帯状粘着領域１１〜１６に対面し、微弱な粘着力で軽く接着される。そのため、本シート１００が未使用の状態で、帯状粘着領域１１〜１６の糊面を剥離層２１〜２６が保護している限り、ゴミ等が付着せず粘着性能を維持される。
【００２２】
なお、上述した剥離層２１〜２６と帯状粘着領域１１〜１６との微弱な粘着力は、ロール巻きが自然には解けない最小限度であることが好ましい。なお、ロール巻きが自然に解ける程に粘着力が弱過ぎるならば、巻き解き端緒部９を、ロールの１周内側の貼着面１０に、不図示の粘着テープ等で軽く固定することにより流通保存形態を維持すれば良い。
【００２３】
また、本シート１００を巻き解して使用する際は、まず、包装袋からロール状態で取り出して、粘着力を維持した新鮮な糊面を露出させる。この帯状粘着領域１１〜１６を有する端緒部９近傍から野地板５０に貼り、ロールを巻き戻しつつ順次貼って行くと、一周遅れ（ロールの内側）の帯状粘着領域１１〜１６が剥離層２１〜２６から自然に剥がれる。本シート１００は、野地板５０の上面において、ロールを巻き解きながらに展張敷設する作業を、作業員が１人で容易に施工可能である。
【００２４】
展張敷設の手順は、屋根の傾斜面における低い位置を先に、高い位置を後に、すなわち軒先に近い位置から棟に近い位置へと順に、棟と平行、すなわち傾斜方向と直角に貼り進められる。このとき、貼り付けている最中の帯状粘着領域１１〜１６の裏側の剥離層２１〜２６に対し、ロールの内側に１周遅れの帯状粘着領域１１〜１６は、密着状態から自然に剥がれるのでロールが解ける。
【００２５】
このようにして、本シート１００は展張敷設される。なお、本シート１００の剥離層２１〜２６は、基材Ｓの表面に薬剤を含浸させるなどして形成されている。したがって、剥離紙を貼り付けておらず、剥離紙を剥がして捨てる構成ではないため、ゴミが発生しない。そのため、作業員が剥離紙で足を滑らせこともなく、屋根から転落するような事故も防止できる。
【００２６】
遮水シートＳは、屋根下葺材としての防水性を満足し、かつ、野地板５０に対する密着性を兼ね備えたものである。即ち、野地板５０全面に密着することにより、その後の屋根上葺材（瓦、金属瓦およびスレートなど）を固定する釘穴より雨水が侵入した場合でも野地板５０全面に水が廻らないために優れた防水性能を発揮することとなる。なお、図３、図４において、野地板５０の表面と、遮水シートＳとの間に隙間があるように描かれているが、図解説明の便宜上のことであり、実際には、遮水シートＳが野地板５０に対して密着性をもって展張敷設されている。
【００２７】
また、遮水シートＳの一例として、アスファルトを含浸させた合成繊維不織布が挙げられる。このアスファルトもストレートアスファルトか、ブローンアスファルトかは問わない。不織布の素材繊維も特に問わないが、ビニロン、ポリエステル等のプラスチック繊維が良い。厚さは３５〜１００ｇ／ｍ２が適当である。また、粘着材３０は施工時の温度（時期によって低温から高温までの幅広い）によっても自着するような配合にすることが望ましい。
【００２８】
図３は、図１および図２に示した本シートを屋根の野地板に展張敷設した様子を説明するための平面図と、屋根の妻又は垂木に平行な平面による断面図である。なお、木造家屋における切妻屋根の妻側から見た野地板５０は、雨水を流して排水するために所定の傾斜角が設定されている。ただし、図３では紙面の都合により、野地板５０を水平に描いている。図３に示すように、本シート１００を主要構成する遮水シートＳの貼着面１０には、長手方向Ｘに粘着剤３０を塗布した複数の帯状粘着領域１１〜１６が形成されている。
【００２９】
また、本シート１００には、以下の詳細な寸法設定がある。まず、貼着面１０には、一例として６本を図示する帯状粘着領域１１〜１６のそれぞれが、遮水シートＳの全幅Ｗよりもはるかに狭い第１の幅Ｂに形成されている。これら第１の幅Ｂの全数分を合計しても全幅Ｗの１／１０以下である。また、剥離層２１〜２６は、第１の幅Ｂよりも広い第２の幅Ｃに形成されている。また、本シート１００は、粘着剤３０で野地板５０に貼り付けられるので、タッカーで打つ針（ステープル）や釘が不要になるとともに、針孔や釘孔も生じず、防水効果を高くすることが可能である。
【００３０】
この第２の幅Ｃは、第１の幅Ｂの１．５〜１０倍の範囲である。本シート１００は、例えば６本の剥離層２１〜２６について、後述する規定の距離に設定されて、平行に形成されており、剥離してゴミになるものではない。これらの剥離層２１〜２６は、その裏側に形成された帯状粘着領域１１〜１６により、野地板５０に貼着・固定されて動かず、作業者が踏んでも移動しないため、大きな潤滑作用も生じ難い。したがって、剥離層２１〜２６を踏んだ人が、足を滑らせて転倒するような危険性は少ない。また、固定状態の剥離層２１〜２６の面積は、人の足裏面積に対して僅かな比率にとどまることも、潤滑作用を抑制して滑り難くしている。さらに、作業者の背中が、剥離層２１〜２６に圧し掛かった場合も同様である。したがって、作業者が踏んでも、転倒・滑落の危険性が少なくて済む。
【００３１】
また、本シート１００には、基準点１〜ｎ（例えば、３≦ｎ≦１０でもよいが、ｎ＝６を例示）と、重ね代４１，４２と、を備えている。基準点１〜６は、遮水シートＳの幅方向Ｙの一端から他端まで順番に規定された距離Ｙ１，Ｙ２，Ｙ３，・・・，Ｙ７，・・・，Ｙｎ（Ｙ１〜Ｙ７として例示）を設けて並ぶように目印として設定された複数の点である。重ね代４１，４２は、幅方向Ｙに隣接して展張敷設されるオーバーラップ幅Ｅを明示した目印である。なお、オーバーラップ幅Ｅは、本シート１００の全幅Ｗより広い屋根の傾斜面において、防水目的を達成するために不可欠である。なお、基準点１〜６は、規定の距離Ｙ１，Ｙ２，Ｙ３，・・・，Ｙ７を、正確に寸法規定するために設けた仮設の点であり、説明の便宜上の設定に過ぎない。一方、重ね代４１，４２は、作業員が作業の目安にするため、鮮明に印刷されている。
【００３２】
帯状粘着領域１１〜１６は、それぞれが基準点１〜６を含むとともに、長手方向Ｘの全長Ｌにわたって平行に延在している。本シート１００は、第１の幅Ｂと、第２の幅Ｃと、オーバーラップ幅Ｅと、規定の距離Ｙ１，Ｙ２，Ｙ３，・・・，Ｙ７と、を設定している。なお、長手方向Ｘの全長Ｌについては、特に図示していないが、図２（Ａ）のロール巻きを解いて直線状に伸ばした長さである。ただし、図２（Ａ）は説明のための模式図に過ぎず、寸法関係を正確に読み取れるようにした設計図ではない。
【００３３】
図４は、展張敷設された本シートのオーバーラップ部を説明するための、屋根の妻又は垂木に平行な平面による断面図である。オーバーラップ幅Ｅにおける重ね代４１，４２の上下関係は、図４に示すとおりであり、屋根の野地板５０において、勾配の低い方の重ね代４２を下側にし、勾配の高い方の重ね代４１を上側にして雨漏りを防ぐことはいうまでもない。図４に示すように、本シート１００は、上述した寸法設定により、下層側６０と上層側７０で、それぞれの重ね代４１，４２を合わせてオーバーラップした相手に対し、下層側６０の剥離層２５，２６に、上層側７０の帯状粘着領域１１，１２は重ならない。
【００３４】
そのため、帯状粘着領域１１〜１６の粘着剤３０が、剥離層２１〜２６に遮られることなく、有効に貼着作用する。したがって、流通保存形態のロール巻きを解いた帯状の遮水シートＳが屋根の野地板５０に、ムラ無く均等に展張敷設される。なお、上述のとおり、６本の細い帯状の剥離層２１〜２６は、たとえ作業員が踏んでも移動しないので、バナナの皮を踏んだ人が転倒するような危険性は少なく、転倒・滑落の危険性が少なくて済む。
【００３５】
本シート１００は、全幅Ｗを７００〜１３００ｍｍ、第１の幅Ｂを３〜７ｍｍ、第２の幅Ｃを７〜１３ｍｍ、オーバーラップ幅Ｅを７３〜１３７ｍｍ、規定の距離Ｙ１〜Ｙ７について、Ｙ１，Ｙ７を７〜４８ｍｍ、Ｙ２，Ｙ４，Ｙ６を７３〜１８６ｍｍ、Ｙ３，Ｙ５を２３２〜３６０ｍｍ、に設定することが好ましい。
【００３６】
本シート１００は、第１の幅Ｂと、第２の幅Ｃと、オーバーラップ幅Ｅと、規定の距離Ｙ１，Ｙ２，Ｙ３，・・・，Ｙ７，・・・，Ｙｎ（Ｙ７を超えるＹｎは例示を省略）と、について上述の数値設定をすることにより、下層側６０と上層側７０で重ね代４１，４２を合わせてオーバーラップした相手に対し、下層側６０の剥離層２１〜２６に、上層側７０の帯状粘着領域１１〜１６が重ならない。より良い具体的な数値設定については、以下の［実施例１］〜［実施例３］に示している。
【実施例１】
【００３７】
実施例１は、以下の設定により好結果を得た。
全幅Ｗ＝１０００ｍｍ、第１の幅Ｂ＝５ｍｍ、第２の幅Ｃ＝１０ｍｍ、オーバーラップ幅Ｅ＝１０５ｍｍ、規定の距離Ｙ１〜Ｙ７について、Ｙ１＝１０ｍｍ、Ｙ７＝４０ｍｍ、Ｙ２＝１０５ｍｍ、Ｙ４＝１５５ｍｍ、Ｙ６＝１００ｍｍ、Ｙ３＝２９０ｍｍ、Ｙ５＝３００ｍｍ、に設定した。
【実施例２】
【００３８】
実施例１の設定値を中心値として、±２０％程度の許容範囲を考慮した設定値は、以下のとおりである。
８００ｍｍ≦全幅Ｗ≦１２００ｍｍ、４ｍｍ≦第１の幅Ｂ≦６ｍｍ、８ｍｍ≦第２の幅Ｃ≦１２ｍｍ、８４ｍｍ≦オーバーラップ幅Ｅ≦１２６ｍｍ、規定の距離Ｙ１〜Ｙ７について、８ｍｍ≦Ｙ１≦１２ｍｍ、３２ｍｍ≦Ｙ７≦４８ｍｍ、８４ｍｍ≦Ｙ２≦１２６ｍｍ、１２４ｍｍ≦Ｙ４≦１８６ｍｍ、８０ｍｍ≦Ｙ６≦１２０ｍｍ、２３２ｍｍ≦Ｙ３≦３４８ｍｍ、２４０≦Ｙ５≦３６０ｍｍ、に設定しても良い。
【実施例３】
【００３９】
実施例１の設定値を中心値として、±３０％程度の許容範囲を考慮した設定値は、以下のとおりである。
７００ｍｍ≦全幅Ｗ≦１３００ｍｍ、３ｍｍ≦第１の幅Ｂ≦７ｍｍ、７ｍｍ≦第２の幅Ｃ≦１３ｍｍ、７３ｍｍ≦オーバーラップ幅Ｅ≦１３７ｍｍ、規定の距離Ｙ１〜Ｙ７について、７ｍｍ≦Ｙ１≦１３ｍｍ、２８ｍｍ≦Ｙ７≦５２ｍｍ、７３ｍｍ≦Ｙ２≦１６４ｍｍ、１０８ｍｍ≦Ｙ４≦２０２ｍｍ、７０ｍｍ≦Ｙ６≦１３０ｍｍ、２０３ｍｍ≦Ｙ３≦３７７ｍｍ、２１０≦Ｙ５≦４６８ｍｍ、に設定しても良い。
【００４０】
以下、剥離層２１〜２６、目止め層（不図示）および遮水シートＳについて、より詳細に説明する。
＜剥離層＞
本シート１００は、貼着面１０を外側にロール巻きされている。貼着面１０には帯状粘着領域１１〜１６を有する。帯状粘着領域１１〜１６は、その遮水シートＳを隔てた反対面、すなわち貼着背面２０に剥離層２１〜２６が形成されている。剥離層２１〜２６は、ロールの内側に１周遅れて対面する帯状粘着領域１１〜１６に、微弱な接着力で接着される。この微弱な接着力によりロールが解けずに維持されており、微弱な接着力が剥がれることによりロールが解ける。ロールを解きながら本シート１００は展張敷設される。
【００４１】
ロール巻き状態において、帯状粘着領域１１〜１６は、おのおのの幅Ｂよりも、それぞれが広い幅Ｃの剥離層２１〜２６により、外気に対してあたかも被覆されている。帯状粘着領域１１〜１６は、剥離層２１〜２６により外気から遮断されることにより、外気中のゴミ等を付着させず粘着性能を維持するように保護される。その一方で、剥離層２１〜２６は、粘着剤３０から粘着作用を受け難いので、施工時に帯状粘着領域１１〜１６を露出させる必要に応じて痕跡を残さず容易に剥離できる。
【００４２】
この剥離層２１〜２６は、基材となる遮水シート（基材）Ｓにシリコーン樹脂を含浸又は塗布して形成する。ただし、剥離層２１〜２６は、基材Ｓとの間に目止め層を介在させて剥離層５２を形成するための薬品が、基材Ｓに染み込むことを防止している。シリコーン樹脂は溶剤型と無溶剤型、エマルジョン型に分けられる。いずれもシリコーン樹脂塗工後に加熱してシリコーン樹脂を硬化させる（紫外線硬化型もある）。
【００４３】
＜目止め層＞
剥離層２１〜２６の下地となる目止め層にはポリエチレンが多く用いられ、厚みは数〜数十μmである。基材Ｓが浸透性の低い素材で構成されていれば、目止め層が存在しないものもある。また、基材Ｓとして一般的な紙に近い素材を使用している場合は、目止め層がクレーコート層やＰＶＡ（ポリビニルアルコール）層などで構成されている。
【００４４】
＜遮水シート＞
本シート１００を主要構成する遮水シートＳは、例えば、ポリプロビレン繊維、ポリエステル繊維、ＰＥＴ（ポリエチレン−テレフタレート）繊維、あるいは天然繊維等を素材とした通気性を有する不織布シートが用いられて形成されている。上述のように、本シート１００は、長尺の長さＬ×所定幅Ｗを有するシート体であるため、これをロール巻きの流通保存形態にして提供される。なお、本シート１００は、現場対応により、野地板５０上に展張敷設された余剰部分等については、カッター等により容易に切断することが可能である。
【００４５】
以上説明したように、本発明に係る屋根下葺シートは、屋根葺き等の作業に際し、粘着剤で野地板に貼り付けるので、タッカーで打つ針（ステープル）や釘が不要になるとともに、針孔や釘孔も生じさせず、防水効果を高くすることが可能である。
また、本発明に係る屋根下葺シートは、ゴミとして発生する剥離紙を無くすことにより、施工の効率を低下させずに、作業員の転倒・滑落事故を防止して安全性が確保される。
【産業上の利用可能性】
【００４６】
本発明に係る屋根下葺シートは、木造瓦葺住宅をはじめとする各種屋根葺き材料を用いた屋根の下葺用遮水シートとして採用される可能性がある。これらの屋根について、新築時、又は瓦等の吹き替え時に利用される可能性がある。
【符号の説明】
【００４７】
１〜６  基準点、７  軸心孔、９  巻き解き端緒部、１０  貼着面、１１〜１６  帯状粘着領域、２０  貼着背面、２１〜２６  剥離層、３０  粘着剤（糊）、３１〜３６  剥離紙、４１，４２  重ね代、５０  野地板、６０  下層側、７０  上層側、１００  屋根下葺シート、Ｂ  第１の幅、Ｃ  第２の幅、Ｅ  オーバーラップ幅、Ｆ  正転方向、Ｌ  長手方向Ｘの全長、Ｒ  逆転方向、Ｓ  遮水シート、Ｗ  全幅、Ｘ  長手方向、Ｙ１〜Ｙ７，Ｙｎ  規定の距離
【図１】
2017115351.tif 000003
【図２】
2017115351.tif 000004
【図３】
2017115351.tif 000005
【図４】
2017115351.tif 000006